(57)【要約】【課題】光源とフォーカスレンズとの最大離間距離はより長く、光源とフォーカスレンズとの最小離間距離はより短く相対的に変動させることができ、また、操作者の手元から離れた状態でも操作棒等を用いた傾動操作を簡単に行い得る照明装置を提供すること。【解決手段】照明装置１は、前部筐体４と、後部筐体８と、中部筐体９と、前部筐体４を中部筐体９に対して相対的にＸ方向に移動自在に連結する前部連結機構１０と、後部筐体８を中部筐体９に対して相対的にＸ方向に移動自在に連結する後部連結機構１１と、中部筐体９を支持するコ字状の支持枠体５６と、中部筐体９と支持枠体５６とを連結していると共に中部筐体９を支持枠体５６に対して傾動させる傾動機構９０とを具備しており、傾動機構９０は、操作アーム９１と、操作アーム９１に係合して当該操作アーム９１の支持枠体５６に対する回転を中部筐体９に伝達する伝達機構９３とを具備している。【選択図】図１
2011086561.tif 000002
【特許請求の範囲】
【請求項１】
前壁にフォーカスレンズが設けられていると共に後方が開放されている前部筐体と、この前部筐体に対して後方に配されており、後壁にフォーカスレンズを介して投光されるべき光を発光する光源が設けられていると共に前方が開放されている後部筐体と、前部筐体及び後部筐体間に配されていると共に当該前部筐体の後方の部位及び当該後部筐体の前方の部位を取り囲んでいる中部筐体と、前部筐体を中部筐体に対して相対的に前後方向に移動自在に連結する前部連結機構と、後部筐体を中部筐体に対して相対的に前後方向に移動自在に連結する後部連結機構と、中部筐体の周壁の互いに対向する一対の側部壁の夫々を支持するコ字状の支持枠体と、中部筐体と支持枠体とを連結していると共に中部筐体を支持枠体に対して傾動させる傾動機構とを具備しており、前部筐体の前後方向に伸びた周壁は、中部筐体の内部において後部筐体と重ね合わされて配置可能となるように、後部筐体の前後方向に伸びた周壁に対して外周側又は内周側に配されており、傾動機構は、支持枠体に回転自在に連結された前後方向に伸びた操作アームと、中部筐体に固定されていると共に支持枠体に回転自在に連結されており、操作アームの支持枠体に対する回転において当該操作アームに係合して当該操作アームの支持枠体に対する回転を中部筐体に伝達する伝達機構とを具備している照明装置。
【請求項２】
伝達機構は、操作アームに設けられている爪部と、中部筐体に固定されていると共に支持枠体に回転自在に連結されており、操作アームの回転において爪部に係合する一方、操作アームの逆回転において爪部との係合が解除される段部が周縁に形成されている回転板とを具備しており、操作アームの支持枠体に対する回転軸心は、回転板の支持枠体に対する回転軸心に対して偏心している請求項１に記載の照明装置。
【請求項３】
操作アームを逆回転させる方向に付勢する付勢部材を具備している請求項２に記載の照明装置。
【請求項４】
操作アームは、前後方向に伸びていると共に一端で支持枠体に回転自在に連結されたアーム本体と、このアーム本体の他端に上に向かって凹状に形成された引っ掛け部とを具備している請求項１から３のいずれか一項に記載の照明装置。
【請求項５】
操作アームは、当該操作アームの支持枠体に対する回転軸心から前方に向かって伸びており、傾動機構は、支持枠体に回転自在に連結されていると共に当該支持枠体に対する回転軸心から後方に向かって伸びた他の操作アームを具備しており、伝達機構は、他の操作アームの支持枠体に対する逆回転において当該他の操作アームに係合して当該他の操作アームの支持枠体に対する逆回転を中部筐体に伝達するようになっている請求項１から４のいずれか一項に記載の照明装置。
【請求項６】
伝達機構は、他の操作アームに設けられている他の爪部と、中部筐体に固定されていると共に支持枠体に回転自在に連結されており、他の操作アームの逆回転において他の爪部に係合する一方、他の操作アームの回転において他の爪部との係合が解除される他の段部が周縁に形成されている他の回転板とを具備しており、他の操作アームの支持枠体に対する回転軸心は、他の回転板の支持枠体に対する回転軸心に対して偏心している請求項５に記載の照明装置。
【請求項７】
他の操作アームを回転させる方向に付勢する他の付勢部材を具備している請求項６に記載の照明装置。
【請求項８】
他の操作アームは、前後方向に伸びていると共に一端で支持枠体に回転自在に連結されたアーム本体と、このアーム本体の他端に上に向かって凹状に形成された引っ掛け部とを具備している請求項５から７のいずれか一項に記載の照明装置。
【請求項９】
前壁にフォーカスレンズが設けられていると共に後方が開放されている前部筐体と、この前部筐体に対して後方に配されており、後壁にフォーカスレンズを介して投光されるべき光を発光する光源が設けられていると共に前方が開放されている後部筐体と、前部筐体及び後部筐体間に配されていると共に当該前部筐体の後方の部位及び当該後部筐体の前方の部位を取り囲んでいる中部筐体と、前部筐体を中部筐体に対して相対的に前後方向に移動自在に連結する前部連結機構と、後部筐体を中部筐体に対して相対的に前後方向に移動自在に連結する後部連結機構と、中部筐体の周壁の互いに対向する一対の側部壁の夫々を支持するコ字状の支持枠体と、中部筐体と支持枠体とを連結していると共に中部筐体を支持枠体に対して傾動させる傾動機構とを具備しており、前部筐体の前後方向に伸びた周壁は、中部筐体の内部において後部筐体と重ね合わされて配置可能となるように、後部筐体の前後方向に伸びた周壁に対して外周側又は内周側に配されており、傾動機構は、支持枠体に回転自在に連結されていると共に当該支持枠体に対する回転軸心から前方に向かって伸びた操作アームと、支持枠体に回転自在に連結されていると共に当該支持枠体に対する回転軸心から後方に向かって伸びた他の操作アームと、中部筐体に固定されていると共に支持枠体に回転自在に連結されており、操作アームの支持枠体に対する回転において当該操作アームに係合して当該操作アームの支持枠体に対する回転を中部筐体に伝達する一方、他の操作アームの支持枠体に対する逆回転において当該他の操作アームに係合して当該他の操作アームの支持枠体に対する逆回転を中部筐体に伝達する伝達機構とを具備しており、伝達機構は、操作アームに設けられている爪部と、中部筐体に固定されていると共に支持枠体に回転自在に連結されており、操作アームの回転において爪部に係合する一方、操作アームの逆回転において爪部との係合が解除される段部が周縁に形成されている回転板と、他の操作アームに設けられている他の爪部と、中部筐体に固定されていると共に支持枠体に回転自在に連結されており、他の操作アームの逆回転において他の爪部に係合する一方、他の操作アームの回転において他の爪部との係合が解除される他の段部が周縁に形成されている他の回転板とを具備しており、操作アームの支持枠体に対する回転軸心は、回転板の支持枠体に対する回転軸心に対して偏心しており、他の操作アームの支持枠体に対する回転軸心は、他の回転板の支持枠体に対する回転軸心に対して偏心しており、操作アームの支持枠体に対する回転軸心と他の操作アームの支持枠体に対する回転軸心とは、互いに同心であり、回転板の支持枠体に対する回転軸心と他の回転板の支持枠体に対する回転軸心とは、互いに同心である照明装置。
【請求項１０】
光源は、複数個の発光ダイオードが配置された平面状の発光面を有している請求項１から９のいずれか一項に記載の照明装置。
【発明の詳細な説明】
【技術分野】
【０００１】
本発明は、テレビスタジオ、写真スタジオ、舞台等で使用するスポットライト等の照明装置に関する。
【背景技術】
【０００２】
例えば、特許文献１においては、光源とフォーカスレンズとの離間距離を相対的に変動させる移動機構（特許文献１の発明の詳細な説明の段落００４２等参照）を有したスポットライトからなる照明装置が提案されている。
【先行技術文献】
【特許文献】
【０００３】
【特許文献１】特開２００７−５９２２０号公報
【発明の概要】
【発明が解決しようとする課題】
【０００４】
ところで、斯かる照明装置では、光源とフォーカスレンズとの最大離間距離はより長く、光源とフォーカスレンズとの最小離間距離はより短く相対的に変動可能であることが望ましく、また、斯かる照明装置は、例えばテレビスタジオ等の天井等に取り付けられて照明装置の操作者の手元から離れて用いられることが多いため、操作者の手元から離れた状態においても操作棒等を用いた傾動操作（チルト操作）を簡単に行えることが望ましい。
【０００５】
本発明は、前記諸点に鑑みてなされたものであり、その目的とするところは、光源とフォーカスレンズとの最大離間距離はより長く、光源とフォーカスレンズとの最小離間距離はより短く相対的に変動させることができ、また、操作者の手元から離れた状態でも操作棒等を用いた傾動操作を簡単に行い得る照明装置を提供することにある。
【課題を解決するための手段】
【０００６】
本発明の照明装置は、前壁にフォーカスレンズが設けられていると共に後方が開放されている前部筐体と、この前部筐体に対して後方に配されており、後壁にフォーカスレンズを介して投光されるべき光を発光する光源が設けられていると共に前方が開放されている後部筐体と、前部筐体及び後部筐体間に配されていると共に当該前部筐体の後方の部位及び当該後部筐体の前方の部位を取り囲んでいる中部筐体と、前部筐体を中部筐体に対して相対的に前後方向に移動自在に連結する前部連結機構と、後部筐体を中部筐体に対して相対的に前後方向に移動自在に連結する後部連結機構と、中部筐体の周壁の互いに対向する一対の側部壁の夫々を支持するコ字状の支持枠体と、中部筐体と支持枠体とを連結していると共に中部筐体を支持枠体に対して傾動させる傾動機構とを具備しており、前部筐体の前後方向に伸びた周壁は、中部筐体の内部において後部筐体と重ね合わされて配置可能となるように、後部筐体の前後方向に伸びた周壁に対して外周側又は内周側に配されており、傾動機構は、支持枠体に回転自在に連結された前後方向に伸びた操作アームと、中部筐体に固定されていると共に支持枠体に回転自在に連結されており、操作アームの支持枠体に対する回転において当該操作アームに係合して当該操作アームの支持枠体に対する回転を中部筐体に伝達する伝達機構とを具備している。
【０００７】
本発明の照明装置によれば、特に、前部筐体を中部筐体に対して相対的に前後方向に移動自在に連結する前部連結機構と、後部筐体を中部筐体に対して相対的に前後方向に移動自在に連結する後部連結機構とを具備しており、前部筐体の前後方向に伸びた周壁は、中部筐体の内部において後部筐体と重ね合わされて配置可能となるように、後部筐体の前後方向に伸びた周壁に対して外周側又は内周側に配されているために、光源とフォーカスレンズとの最大離間距離はより長く、光源とフォーカスレンズとの最小離間距離はより短く相対的に変動させることができ、また、光源とフォーカスレンズとの離間距離を最小にすることで照明装置全体をコンパクトにし得、搬送、設置の容易化を図り得、加えて、傾動機構は、支持枠体に回転自在に連結された前後方向に伸びた操作アームと、中部筐体に固定されていると共に支持枠体に回転自在に連結されており、操作アームの支持枠体に対する回転において当該操作アームに係合して当該操作アームの支持枠体に対する回転を中部筐体に伝達する伝達機構とを具備しているために、例えば照明装置がテレビスタジオ等の天井等に取り付けられている場合等の操作者の手元から離れた場合においても、例えば図１５に示すように先端にフックが設けられた操作棒を用いて操作アームを回転させることで、照明装置の傾動操作を簡単に行い得る。
【０００８】
本発明の照明装置の好ましい例では、伝達機構は、操作アームに設けられている爪部と、中部筐体に固定されていると共に支持枠体に回転自在に連結されており、操作アームの回転において爪部に係合する一方、操作アームの逆回転において爪部との係合が解除される段部が周縁に形成されている回転板とを具備しており、操作アームの支持枠体に対する回転軸心は、回転板の支持枠体に対する回転軸心に対して偏心している。このような好ましい例によれば、操作アームを所定の回転角内における回転及び逆回転を交互に繰り返すことで照明装置の大きな傾動操作を簡単に行い得る。
【０００９】
本発明の照明装置の好ましい例では、操作アームを逆回転させる方向に付勢する付勢部材を具備している。このような好ましい例によれば、操作アームの回転板に対する係合を付勢部材の付勢力に基づいて自動的に解除することができ、而して、照明装置の傾動操作をより簡単に行い得る。
【００１０】
本発明の照明装置の好ましい例では、操作アームは、前後方向に伸びていると共に一端で支持枠体に回転自在に連結されたアーム本体と、このアーム本体の他端に上に向かって凹状に形成された引っ掛け部とを具備している。このような好ましい例によれば、例えば照明装置がテレビスタジオ等の天井等に吊り下げ支持されている場合においても、先端にフックが形成された長尺の操作棒の当該フックを引っ掛け部に引っ掛けて操作アームを引き下げることにより当該操作アームを回転させることができ、而して、照明装置の傾動操作を簡単に行い得る。
【００１１】
本発明の照明装置の好ましい例では、操作アームは、当該操作アームの支持枠体に対する回転軸心から前方に向かって伸びており、傾動機構は、支持枠体に回転自在に連結されていると共に当該支持枠体に対する回転軸心から後方に向かって伸びた他の操作アームを具備しており、伝達機構は、他の操作アームの支持枠体に対する逆回転において当該他の操作アームに係合して当該他の操作アームの支持枠体に対する逆回転を中部筐体に伝達するようになっている。このような好ましい例によれば、操作アームの操作により照明装置を一方の方向に傾動させる一方、他の操作アームの操作により照明装置を他方の方向に傾動させることができ、而して、照明装置の傾動操作を簡単に行い得る。
【００１２】
本発明の照明装置の好ましい例では、伝達機構は、他の操作アームに設けられている他の爪部と、中部筐体に固定されていると共に支持枠体に回転自在に連結されており、他の操作アームの逆回転において他の爪部に係合する一方、他の操作アームの回転において他の爪部との係合が解除される他の段部が周縁に形成されている他の回転板とを具備しており、他の操作アームの支持枠体に対する回転軸心は、他の回転板の支持枠体に対する回転軸心に対して偏心している。このような好ましい例によれば、他の操作アームの所定の回転角内における回転及び逆回転を交互に繰り返すことで照明装置の大きな傾動操作を簡単に行い得る。
【００１３】
本発明の照明装置の好ましい例では、他の操作アームを回転させる方向に付勢する他の付勢部材を具備している。このような好ましい例によれば、他の操作アームの他の回転板に対する係合を他の付勢部材の付勢力に基づいて自動的に解除することができ、而して、照明装置の傾動操作をより簡単に行い得る。
【００１４】
本発明の照明装置の好ましい例では、他の操作アームは、前後方向に伸びていると共に一端で支持枠体に回転自在に連結されたアーム本体と、このアーム本体の他端に上に向かって凹状に形成された引っ掛け部とを具備している。このような好ましい例によれば、例えば照明装置がテレビスタジオ等の天井等に吊り下げ支持されている場合においても、先端にフックが形成された長尺の操作棒の当該フックを他の操作アームの引っ掛け部に引っ掛けて他の操作アームを引き下げることにより当該他の操作アームを逆回転させることができ、而して、照明装置の傾動操作を簡単に行い得る。
【００１５】
本発明の他の照明装置は、前壁にフォーカスレンズが設けられていると共に後方が開放されている前部筐体と、この前部筐体に対して後方に配されており、後壁にフォーカスレンズを介して投光されるべき光を発光する光源が設けられていると共に前方が開放されている後部筐体と、前部筐体及び後部筐体間に配されていると共に当該前部筐体の後方の部位及び当該後部筐体の前方の部位を取り囲んでいる中部筐体と、前部筐体を中部筐体に対して相対的に前後方向に移動自在に連結する前部連結機構と、後部筐体を中部筐体に対して相対的に前後方向に移動自在に連結する後部連結機構と、中部筐体の周壁の互いに対向する一対の側部壁の夫々を支持するコ字状の支持枠体と、中部筐体と支持枠体とを連結していると共に中部筐体を支持枠体に対して傾動させる傾動機構とを具備しており、前部筐体の前後方向に伸びた周壁は、中部筐体の内部において後部筐体と重ね合わされて配置可能となるように、後部筐体の前後方向に伸びた周壁に対して外周側又は内周側に配されており、傾動機構は、支持枠体に回転自在に連結されていると共に当該支持枠体に対する回転軸心から前方に向かって伸びた操作アームと、支持枠体に回転自在に連結されていると共に当該支持枠体に対する回転軸心から後方に向かって伸びた他の操作アームと、中部筐体に固定されていると共に支持枠体に回転自在に連結されており、操作アームの支持枠体に対する回転において当該操作アームに係合して当該操作アームの支持枠体に対する回転を中部筐体に伝達する一方、他の操作アームの支持枠体に対する逆回転において当該他の操作アームに係合して当該他の操作アームの支持枠体に対する逆回転を中部筐体に伝達する伝達機構とを具備しており、伝達機構は、操作アームに設けられている爪部と、中部筐体に固定されていると共に支持枠体に回転自在に連結されており、操作アームの回転において爪部に係合する一方、操作アームの逆回転において爪部との係合が解除される段部が周縁に形成されている回転板と、他の操作アームに設けられている他の爪部と、中部筐体に固定されていると共に支持枠体に回転自在に連結されており、他の操作アームの逆回転において他の爪部に係合する一方、他の操作アームの回転において他の爪部との係合が解除される他の段部が周縁に形成されている他の回転板とを具備しており、操作アームの支持枠体に対する回転軸心は、回転板の支持枠体に対する回転軸心に対して偏心しており、他の操作アームの支持枠体に対する回転軸心は、他の回転板の支持枠体に対する回転軸心に対して偏心しており、操作アームの支持枠体に対する回転軸心と他の操作アームの支持枠体に対する回転軸心とは、互いに同心であり、回転板の支持枠体に対する回転軸心と他の回転板の支持枠体に対する回転軸心とは、互いに同心である。斯かる他の照明装置によれば、光源とフォーカスレンズとの最大離間距離はより長く、光源とフォーカスレンズとの最小離間距離はより短く相対的に変動させることができ、また、光源とフォーカスレンズとの離間距離を最小にすることで照明装置全体をコンパクトにし得、搬送、設置の容易化を図り得、例えば照明装置がテレビスタジオ等の天井等に取り付けられている場合等の操作者の手元から離れた場合においても、例えば図１５に示すように先端にフックが設けられた操作棒を用いて操作アームを回転させることで、照明装置の傾動操作を簡単に行い得、操作アームを所定の回転角内における回転及び逆回転を交互に繰り返すことで照明装置の大きな傾動操作を簡単に行い得、操作アームの操作により照明装置を一方の方向に傾動させる一方、他の操作アームの操作により照明装置を他方の方向に傾動させることができ、他の操作アームの所定の回転角内における回転及び逆回転を交互に繰り返すことで照明装置の大きな傾動操作を簡単に行い得、しかも、操作アームの支持枠体に対する回転軸心と他の操作アームの支持枠体に対する回転軸心とは、互いに同心であり、回転板の支持枠体に対する回転軸心と他の回転板の支持枠体に対する回転軸心とは、互いに同心であるために、傾動機構の部品数を減少させ得ると共に照明装置の更なるコンパクト化をも図り得る。
【００１６】
本発明の照明装置の好ましい例では、光源は、複数個の発光ダイオードが配置された平面状の発光面を有している。このような好ましい例によれば、照明装置の発熱量、消費電力を大幅に減少させ得る。
【発明の効果】
【００１７】
本発明によれば、光源とフォーカスレンズとの最大離間距離はより長く、光源とフォーカスレンズとの最小離間距離はより短く相対的に変動させることができ、また、操作者の手元から離れた状態でも操作棒等を用いた傾動操作を簡単に行い得る照明装置を提供し得る。
【図面の簡単な説明】
【００１８】
【図１】本発明の実施の形態の例の側面視説明図である。
【図２】図１に示す例の底面視説明図である。
【図３】図１に示す例の正面視説明図である。
【図４】図１に示すＩＶ−ＩＶ線矢視断面拡大説明図である。
【図５】図１に示すＶ−Ｖ線矢視断面拡大説明図である。
【図６】図４に示すＶＩ−ＶＩ線矢視断面拡大説明図である。
【図７】図４に示すＶＩＩ−ＶＩＩ線矢視断面拡大説明図である。
【図８】図１に示す例の主に光源に関する説明図である。
【図９】図１に示す例の主に傾動機構の展開斜視説明図である。
【図１０】図１に示す例の主に傾動機構の動作説明図である。
【図１１】図１に示す例の主に傾動機構の動作説明図である。
【図１２】図１に示す例のフォーカスに関する動作説明図である。
【図１３】図１に示す例のチルトに関する動作説明図である。
【図１４】図１に示す例のチルトに関する動作説明図である。
【図１５】図１に示す例の使用の一例を示す簡略図である。
【発明を実施するための形態】
【００１９】
次に本発明を、図に示す好ましい実施の形態の例に基づいて更に詳細に説明する。なお、本発明はこれら例に何等限定されないのである。
【実施例】
【００２０】
図１から図１５において、本例の照明装置１は、前壁２にフォーカスレンズ３が設けられていると共に後方が開放されている前部筐体４と、前部筐体４に対して後方に配されており、後壁６にフォーカスレンズ３を介して投光されるべき光を発光する光源７が設けられていると共に前方が開放されている後部筐体８と、前部筐体４及び後部筐体８間に配されていると共に当該前部筐体４の後方の部位及び当該後部筐体８の前方の部位を取り囲んでいる中部筐体９と、前部筐体４を中部筐体９に対して相対的にＸ方向（前後方向）に移動自在に連結する前部連結機構１０と、後部筐体８を中部筐体９に対して相対的にＸ方向に移動自在に連結する後部連結機構１１と、中部筐体９の周壁５１の互いに対向する一対の側部壁５２の夫々を支持するコ字状の支持枠体５６と、中部筐体９と支持枠体５６とを連結していると共に中部筐体９を支持枠体５６に対して傾動させる傾動機構９０と、中部筐体９に回転操作自在に設けられたフォーカスハンドル１２と、フォーカスハンドル１２のｒ１方向の回転力を前部筐体４に対して後方移動力として伝達すると共に後部筐体８に対して前方移動力として伝達する一方、フォーカスハンドル１２のｒ２方向の回転力を前部筐体４に対して前方移動力として伝達すると共に後部筐体８に対して後方移動力として伝達する伝達手段１３とを具備している。本例の照明装置１は、例えばテレビスタジオ照明用のスポットライトとして用いられ得る。
【００２１】
前部筐体４は、上記の前壁２と、前壁２の周縁２１からＸ方向において後方に向かって伸びている筒状の周壁２２とを具備しており、前壁２には、フォーカスレンズ３が装着されている。フォーカスレンズ３は、アクリルレンズからなり、正面視円形状である。周壁２２の後方端２３は、光源７からの光がフォーカスレンズ３を介して投光されるように開放されている。前壁２の周縁２１には、カラーフィルタ等のフィルタを保持する保持具２４が装着されている。斯かる前部筐体４は、正面視又は背面視において四角形状、六角形状、八角形状等の多角形状であってもよく、また円形状であってもよい。
【００２２】
前部筐体４のＸ方向に伸びた周壁２２は、当該前部筐体４が中部筐体９に対してＸ方向において後方に移動された場合には、中部筐体９の内部において後部筐体８と重ね合わされる領域が拡大されて配置可能となるように、後部筐体８のＸ方向に伸びた周壁３２に対して外周側に配されている。尚、本例では、周壁２２は、周壁３２の外周側に配されているが、その逆の内周側に配されるようになっていても、中部筐体９の内部において後部筐体８と重ね合わされて配置可能となる。
【００２３】
後部筐体８は、上記の後壁６と、後壁６の周縁３１からＸ方向において前方に向かって伸びている筒状の周壁３２とを具備しており、後壁６には光源７が着脱自在に装着されている。周壁３２の前方端３３は、光源７からの光がフォーカスレンズ３を介して投光されるように開放されている。後壁６の後方側の面には、光源７からの熱を放熱する放熱板３４が装着されている。斯かる後部筐体８は、前部筐体４と同様に、正面視又は背面視において四角形状、六角形状、八角形状等の多角形状であってもよく、また円形状であってもよい。
【００２４】
Ｘ方向に直交するＹ方向（横方向）において互いに対向する周壁３２の側部３５は、中部筐体９に対して凹状となっており、斯かる凹状の側部３５には、後部連結機構１１が配される。後部筐体８のＸ方向に伸びた周壁３２は、当該後部筐体８が中部筐体９に対してＸ方向において前方に移動された場合には、中部筐体９の内部において前部筐体４と重ね合わされて配置可能となるように、前部筐体４のＸ方向に伸びた周壁２２に対して内周側に配されている。尚、本例では、周壁３２は、周壁２２の内周側に配されているが、その逆の外周側に配されるようになっていても、中部筐体９の内部において後部筐体８と重ね合わされて配置可能となる。
【００２５】
光源７は、例えば図８に示すように、複数個の発光ダイオード４１が配置された平面状の発光面４２を有している。発光面４２は正面視円形状である。発光面４２はその投光側においてアクリルフレネルレンズに覆われていてもよい。発光ダイオード４１は、発光面４２の中心から放射方向において複数個、本例では図８に示すように四個並んで配列されている。このように配列された四個の発光ダイオード４１は、発光面４２の中心及びその周縁部の夫々に配置された両極４３及び４４に放射方向において挟まれ且つ電気的に接続されている。斯かる光源７は、後壁６に着脱自在に嵌合乃至螺合される。尚、光源７に電力供給する電源４５は、後部筐体８の内部に装着されていてもよい。斯かる光源７は、例えば白熱電球１ｋＷの照明と同等の照明を６０Ｗ程度で行い得、而して、消費電力、発熱量を著しく減少させることができ、また、電源ケーブル等の縮径化等をも図り得る。
【００２６】
筒状の中部筐体９は、前部筐体４及び後部筐体８と同様に、正面視又は背面視において四角形状、六角形状、八角形状等の多角形状であってもよく、また円形状であってもよい。中部筐体９は、筒状の周壁５１と、Ｙ方向において互いに対向する周壁５１の側部壁５２に対して内周側に配された内部壁５３と、側部壁５２及び内部壁５３の後方端を連結している連結壁５４とを具備している。側部壁５２、内部壁５３及び連結壁５４の断面は、例えば図６に示すようにＵ形状である。側部壁５２、内部壁５３及び連結壁５４によって形成されるスリット部分５５には、周壁２２がＸ方向において移動自在に配されており、内部壁５３に対して内側の部分には周壁３２がＸ方向において移動自在に配されている。
【００２７】
コ字状の支持枠体５６は、一対の側部壁５２の夫々を支持する一対の支持枠部１５及び１６と、支持枠部１５及び１６を橋絡しているＹ方向に伸びた橋絡枠部１７とを具備している。本例の支持枠体５６は、例えばテレビスタジオ等の天井面７４に吊り下げ支持されるように橋絡枠部１７が中部筐体９の上方に位置しているが、例えば照明装置１が床等に設置される場合には、橋絡枠体１７が中部筐体９の下方に位置するように設けられていてもよい。尚、支持枠体５６の中部筐体９に対する取付位置は、支持枠体５６を除く照明装置１全体の重心に配されてもよい。支持枠体５６は、例えば図１５に示すように、テレビスタジオ等の天井面７４に垂下された入れ子式伸縮管等からなる支持軸７５に装着される。
【００２８】
前部連結機構１０は、例えば図４から図７に示すように、Ｙ方向において互いに対向する周壁２２の側部２５にＸ方向に伸びて取り付けられたレール体６１と、Ｙ方向においてレール体６１に対向して配されるように内部壁５３にＸ方向に伸びて取り付けられているレール体６２と、レール体６１及び６２を互いに相対的にＸ方向に移動自在に連結させるべく当該レール体６１及び６２の夫々にＸ方向に移動自在に嵌合しているＸ方向に伸びたスライダ部材６３とを具備している。レール体６１及び６２は、互いに同等の長さを有している。スライダ部材６３の長さは、レール体６１及び６２の長さに対して短いか又は同等である。レール体６２が取り付けられている内部壁５３の取付部５８は、当該内部壁５３の取付部５８を除く部分に対して内周側に折り曲げられて凹状の側部３５に画成される空間に配置されており、斯かる取付部５８に取り付けられているレール体６２もまた前記空間に配置されており、これにより、前部連結機構１０を後部連結機構１１の上方又は下方、本例では下方に配置することができるので、中部筐体９から後部筐体８までの壁厚を薄く形成し得る。斯かる前部連結機構１０は、本例ではＹ方向に互いに対向する照明装置１の部位の双方に夫々設けられている。
【００２９】
後部連結機構１１は、例えば図４から図７に示すように、側部３５にＸ方向に伸びて取り付けられたレール体６６と、Ｙ方向においてレール体６６に対向して配されるように内部壁５３にＸ方向に伸びて取り付けられているレール体６７と、レール体６６及び６７を互いに相対的にＸ方向に移動自在に連結させるべく当該レール体６６及び６７の夫々にＸ方向に移動自在に嵌合しているＸ方向に伸びたスライダ部材６８とを具備している。レール体６６及び６７は、互いに同等の長さを有している。スライダ部材６８の長さは、レール体６６及び６７の長さに対して短いか又は同等である。レール体６１及び６２並びにレール対６６及び６７は夫々互いに同等の長さを有している。斯かる後部連結機構１１は、本例ではＹ方向に対向する照明装置１の部位の双方に夫々設けられている。
【００３０】
前部連結機構１０は、前部筐体４に中部筐体９に対するＸ方向の移動力が与えられた場合にレール体６１のレール体６２に対するＸ方向の移動を生じるようになっており、後部連結機構１１は、後部筐体８に中部筐体９に対するＸ方向の移動力が与えられた場合にレール体６６のレール体６７に対するＸ方向の移動を生じるようになっている。
【００３１】
尚、前部連結機構１０は、前部筐体４の周壁２２に設けられた長孔又はスリット７１及び中部筐体９に固定されていると共に長孔又はスリット７１に配されるピン等からなる突部７２を有してなる案内手段７３を具備しており、斯かる案内手段７３により前部筐体４の中部筐体９に対する相対的なＸ方向の移動を案内するようになっていてもよく、加えて、前部筐体４の中部筐体９に対する相対的なＸ方向の最大移動距離を規定するようになっていてもよい。また、前部連結機構１０は、案内手段７３と同様に形成された案内手段を具備して、後部筐体８の中部筐体９に対する相対的なＸ方向の移動を案内するようになっていてもよく、加えて、後部筐体８の中部筐体９に対する相対的なＸ方向の最大移動距離を規定するようになっていてもよい。
【００３２】
フォーカスハンドル１２は、中部筐体９の周壁５１の底部５９にｒ１及びｒ２方向に回転自在に取り付けられている。斯かるフォーカスハンドル１２は手動操作され、また、照明装置１がテレビスタジオ等の天井に垂下された支持軸７５に吊下げられた状態にある場合において長尺の操作棒７６の先端に嵌合されて操作され得る。
【００３３】
伝達手段１３は、例えば、フォーカスハンドル１２に対して前方に配されて中部筐体９に軸心８１を中心として回転自在に設けられていると共にフォーカスハンドル１２の回転が伝達されるように当該フォーカスハンドル１２の回転軸８０に歯付きの無端又は有端のベルト、チェーン等からなる連結機構を介して連結されている前方ピニオン及びこの前方ピニオンに歯合していると共にＸ方向に伸びて前部筐体４に設けられている前方ラック部材としてのラック歯付の長孔又はスリット８２と、フォーカスハンドル１２に対して後方に配されて中部筐体９に軸心８３を中心として回転自在に設けられていると共にフォーカスハンドル１２の回転が伝達されるように当該フォーカスハンドル１２の回転軸８０に歯付きの無端又は有端のベルト、チェーン等からなる連結機構を介して連結されている後方ピニオン及びこの後方ピニオンに歯合していると共にＸ方向に伸びて後部筐体８に設けられている後方ラック部材としてのラックバー８４とを具備している。斯かる伝達手段１３は、フォーカスハンドル１２の回転を前部筐体４及び後部筐体８に同期的に伝達するようになっており、前部筐体４の前方移動及び後部筐体８の後方移動を連動させる一方、前部筐体４の後方移動及び後部筐体８の前方移動を連動させるようになっている。尚、伝達手段１３の連結機構の夫々は、上述の構成に代えて、フォーカスハンドル１２に回転軸８０に装着されたピニオン及びこのピニオンに歯合すると共に前部筐体４及び後部筐体８の夫々に設けられたラック部材を具備して構成されてもよい。
【００３４】
傾動機構９０は、支持枠体５６に回転自在に連結されていると共に当該支持枠体５６に対する回転軸心Ｃ１からＸ方向において前方に向かって伸びた操作アーム９１と、支持枠体５６に回転自在に連結されていると共に当該支持枠体５６に対する回転軸心Ｃ１からＸ方向において後方に向かって伸びた操作アーム９２と、中部筐体９に固定されていると共に支持枠体５６に回転自在に連結されており、操作アーム９１の支持枠体５６に対するＲ１方向の回転において当該操作アーム９１に係合して当該操作アーム９１の支持枠体５６に対するＲ１方向の回転を中部筐体９に伝達する一方、操作アーム９２の支持枠体５６に対するＲ２方向の逆回転において当該操作アーム９２に係合して当該操作アーム９２の支持枠体５６に対するＲ２方向の逆回転を中部筐体９に伝達する伝達機構９３とを具備している。
【００３５】
操作アーム９１は、Ｘ方向に伸びていると共に一端で支持枠部１５にＲ１方向及びＲ２方向に回転自在に連結されたアーム本体２７と、アーム本体２７の前方側に位置する他端に上に向かって凹状に形成された引っ掛け部２８とを具備している。
【００３６】
操作アーム９２は、Ｘ方向に伸びていると共に一端で支持枠部１５に回転自在に連結されたアーム本体３７と、アーム本体２７の後方側に位置する他端に上に向かって凹状に形成された引っ掛け部３８とを具備している。
【００３７】
アーム本体２７の一端及びアーム本体３７の一端は互いに回転自在に重ね合わされており、アーム本体２７の支持枠部１５に対する回転軸心Ｃ１とアーム本体３７の支持枠部１５に対する回転軸心Ｃ１とは、互いに同心である。アーム本体２７及び３７は共通の軸８５を介して支持枠部１５に回転自在に連結されている。回転軸心Ｃ１は、引っ掛け部２８及び３８を結ぶ線上に位置している。引っ掛け部２８及び３８の夫々から回転軸心Ｃ１までの距離は互いに等しい。
【００３８】
傾動機構９０は、操作アーム９１をＲ２方向に付勢する付勢部材としての付勢ばね８６と、操作アーム９１をＲ１方向に付勢する付勢部材としての付勢ばね８７を更に具備している。
【００３９】
付勢ばね８６は、軸８５に巻き回されており、その一端４７でアーム本体２７に当接し且つその他端４８で支持枠部１５に当接しており、操作アーム９１にＸ方向に伸びた状態を維持させるようにアーム本体２７をＲ２方向に向かって付勢している。
【００４０】
付勢ばね８７は、軸８５に巻き回されており、その一端４９でアーム本体３７に当接し且つその他端５０で支持枠部１５に当接しており、操作アーム９２にＸ方向に伸びた状態を維持させるようにアーム本体３７をＲ１方向に向かって付勢している。
【００４１】
伝達機構９３は、操作アーム９１に設けられている爪部９４と、中部筐体９に固定されていると共に支持枠体５６にＲ３方向及びＲ４方向に回転自在に連結されており、操作アーム９１のＲ１方向の回転において爪部９４に係合する一方、操作アーム９１のＲ２方向の逆回転において爪部９４との係合が解除される段部９５が全周縁に形成されている円板状の回転板９６と、操作アーム９２に設けられている爪部９７と、中部筐体９に固定されていると共に支持枠体５６にＲ３方向及びＲ４方向に回転自在に連結されており、操作アーム９２のＲ２方向の逆回転において爪部９７に係合する一方、操作アーム９２のＲ１方向の回転において爪部９７との係合が解除される段部９８が全周縁に形成されている円板状の回転板９９とを具備している。
【００４２】
回転板９６及び９９間には、仕切り用の円板部材８９が介在されている。回転板９６及び９９並びに円板部材８９は、共通の軸８８を介して支持枠部１５に連結されている。回転板９６及び９９並びに円板部材８９は軸８８に対して回転軸心Ｃ２を中心として回転自在である。軸８８は支持枠部１５に固定されている。円回転板９６及び９９並びに円板部材８９は、ねじ７７等を介して互いにＲ１方向及びＲ２方向に関して不動に連結されていると共に中部筐体９の側部壁５２に固定されている。回転板９６の支持枠体５６に対する回転軸心Ｃ２と回転板９９の支持枠体５６に対する回転軸心Ｃ２とは、互いに同心である。回転板９６及び９９は互いに同径であり、円板部材８９は回転板９６及び９９に対して若干大きな径を有している。回転板９９の段部９８は、回転板９６の段部９５に対して逆向きに形成されている。Ｌ字状の爪部９４の先端部７８は、Ｘ方向に関して回転板９６に対向して配されるようにＸ方向に伸びており、Ｌ字状の先端部７９は、Ｘ方向に関して回転板９９に対向して配されるようにＸ方向に伸びている。
【００４３】
回転軸心Ｃ１は、回転軸心Ｃ２に対して偏心しており、本例では、回転軸心Ｃ１は支持枠部１５の上方に位置している。
【００４４】
以上の照明装置１においては、まず、フォーカスハンドル１２のｒ１方向の回転操作により前部筐体４を中部筐体９に対して相対的に後方に移動させ、この移動と同期的に、後部筐体８を中部筐体９に対して相対的に前方に移動させる。前部筐体４及び後部筐体８の夫々の移動距離は互いに同等である。斯かる移動の結果、中部筐体９の内部には前部筐体４及び後部筐体８の周壁２２及び３２が収容され、周壁３２は周壁２２の内側に配置され、而して、前部筐体４の周壁２２及び後部筐体８の周壁３２は中部筐体９の内部において互いに重ね合わされる。このように周壁２２及び３２が重ね合わされた照明装置１は図１２に示すようにコンパクトになる。
【００４５】
また、フォーカスハンドル１２のｒ２方向の回転操作により前部筐体４を中部筐体９に対して相対的に前方に移動させ、この移動と同期的に、後部筐体８を中部筐体９に対して相対的に後方に移動させる。前部筐体４及び後部筐体８の夫々の移動距離は互いに同等である。斯かる移動の結果、前部筐体４及び後部筐体８の周壁２２及び３２が中部筐体９の内部から抜き出され、上述の周壁２２及び３２の重ね合わせは解除されて図１に示す長尺の状態となる。
【００４６】
本例の照明装置１は、上述の動作により光源７とフォーカスレンズ３との離間距離を調整するようになっている。
【００４７】
本例の照明装置１を傾動（チルト）させる場合には、まず、操作棒７６等を引っ掛け部２８に引っ掛けてアーム本体２７を付勢ばね８６の付勢に抗してＲ１方向に回転させる。この回転により爪部９４が図１０に示すように回転板９６の段部９５に接近して係合すると、操作アーム９１のＲ１方向の回転が回転板９６に伝達されて当該回転板９６をＲ３方向に回転させ、而して、中部筐体９にＲ３方向の傾動力を与えて支持枠体５６を除く照明装置１を図１３に示すようにＲ３方向に傾動させる。このように傾動させた後に操作棒７６等を引っ掛け部２８から外すと、アーム本体２７は付勢ばね８６に付勢されてＲ２方向に逆回転してＸ方向に伸びた状態に復帰し、これにより爪部９４が段部９５から離反して当該爪部９４と段部９５との係合が解除される。
【００４８】
また、照明装置１を逆方向に傾動させる場合には、まず、操作棒７６等を引っ掛け部３８に引っ掛けてアーム本体３７を付勢ばね８７の付勢に抗してＲ２方向に逆回転させる。この逆回転により爪部９７が図１１に示すように回転板９９の段部９８に接近して係合すると、操作アーム９２のＲ２方向の逆回転が回転板９９に伝達されて当該回転板９９をＲ４方向に逆回転させ、而して、中部筐体９にＲ４方向の傾動力を与えて支持枠体５６を除く照明装置１を図１４に示すようにＲ４方向に傾動させる。このように傾動させた後に操作棒７６等を引っ掛け部３８から外すと、アーム本体３７は付勢ばね８７に付勢されてＲ１方向に回転してＸ方向に伸びた状態に復帰し、これにより爪部９７が段部９８から離反して当該爪部９７と段部９８との係合が解除される。
【００４９】
本例の照明装置１によれば、前壁２にフォーカスレンズ３が設けられていると共に後方が開放されている前部筐体４と、前部筐体４に対して後方に配されており、後壁６にフォーカスレンズ３を介して投光されるべき光を発光する光源７が設けられていると共に前方が開放されている後部筐体８と、前部筐体４及び後部筐体８間に配されていると共に当該前部筐体４の後方の部位及び当該後部筐体８の前方の部位を取り囲んでいる中部筐体９と、前部筐体４を中部筐体９に対して相対的にＸ方向に移動自在に連結する前部連結機構１０と、後部筐体８を中部筐体９に対して相対的にＸ方向に移動自在に連結する後部連結機構１１と、中部筐体９の周壁５１の互いに対向する一対の側壁部５２の夫々を支持するコ字状の支持枠体５６と、中部筐体９と支持枠体５６とを連結していると共に中部筐体９を支持枠体５６に対して傾動させる傾動機構９０とを具備しており、前部筐体４のＸ方向に伸びた周壁２２は、中部筐体９の内部において後部筐体８と重ね合わされて配置可能となるように、後部筐体８のＸ方向に伸びた周壁３２に対して外周側又は内周側、本例では外周側に配されており、傾動機構９０は、支持枠体５６に回転自在に連結されたＸ方向に伸びた操作アーム９１と、中部筐体９に固定されていると共に支持枠体５６に回転自在に連結されており、操作アーム９１の支持枠体５６に対する回転において当該操作アーム９１に係合して当該操作アーム９１の支持枠体５６に対する回転を中部筐体９に伝達する伝達機構９３とを具備しているために、光源７とフォーカスレンズ３との最大離間距離はより長く、光源７とフォーカスレンズ３との最小離間距離はより短く相対的に変動させることができ、また、光源７とフォーカスレンズ３との離間距離を最小にすることで照明装置１全体をコンパクトにし得、搬送、設置の容易化を図り得、加えて、例えば照明装置１がテレビスタジオ等の天井等に取り付けられている場合等の操作者の手元から離れた場合においても、例えば図１５に示すように先端にフックが設けられた操作棒７６を用いて操作アーム９１を回転させることで、照明装置１の傾動操作を簡単に行い得る。
【００５０】
照明装置１によれば、伝達機構９３は、操作アーム９１に設けられている爪部９４と、中部筐体９に固定されていると共に支持枠体５６に回転自在に連結されており、操作アーム９１のＲ１方向の回転において爪部９４に係合する一方、操作アーム９１のＲ２方向の逆回転において爪部９４との係合が解除される段部９５が周縁に形成されている回転板９６とを具備しており、操作アーム９１の支持枠体５６に対する回転軸心Ｃ１は、回転板９６の支持枠体５６に対する回転軸心Ｃ２に対して偏心しているために、操作アーム９１を所定の回転角内における回転及び逆回転を交互に繰り返すことで照明装置１のＲ３方向の大きな傾動操作を簡単に行い得る。
【００５１】
照明装置１によれば、操作アーム９１をＲ２方向に逆回転させる方向に付勢する付勢部材としての付勢ばね８６を具備しているために、操作アーム９１の回転板９６に対する係合を付勢ばね８６の付勢力に基づいて自動的に解除することができ、而して、照明装置１の傾動操作をより簡単に行い得る。
【００５２】
照明装置１によれば、操作アーム９１は、Ｘ方向に伸びていると共に一端で支持枠体５６に回転自在に連結されたアーム本体２７と、アーム本体２７の他端に上に向かって凹状に形成された引っ掛け部２８とを具備しているために、例えば照明装置１がテレビスタジオ等の天井等に吊り下げ支持されている場合においても、先端にフックが形成された長尺の操作棒７６の当該フックを引っ掛け部２８に引っ掛けて操作アーム９１を引き下げることにより当該操作アーム９１をＲ１方向に回転させることができ、而して、照明装置１の傾動操作を簡単に行い得る。
【００５３】
照明装置１によれば、、操作アーム９１は、当該操作アーム９１の支持枠体５６に対する回転軸心Ｃ１から前方に向かって伸びており、傾動機構９０は、支持枠体５６に回転自在に連結されていると共に当該支持枠体５６に対する回転軸心Ｃ１から後方に向かって伸びた操作アーム９２を具備しており、伝達機構９３は、操作アーム９２の支持枠体５６に対するＲ２方向の逆回転において当該操作アーム９２に係合して当該操作アーム９２の支持枠体５６に対するＲ２方向の逆回転を中部筐体９に伝達するようになっているために、操作アーム９１の操作により照明装置１をＲ３方向に傾動させる一方、操作アーム９２の操作により照明装置１をＲ３方向に傾動させることができ、而して、照明装置１の傾動操作を簡単に行い得る。
【００５４】
照明装置１によれば、伝達機構９３は、操作アーム９２に設けられている爪部９７と、中部筐体９に固定されていると共に支持枠体５６に回転自在に連結されており、操作アーム９２のＲ２方向の逆回転において爪部９７に係合する一方、操作アーム９２のＲ１方向の回転において爪部９７との係合が解除される段部９８が周縁に形成されている回転板９９とを具備しており、操作アーム９２の支持枠体５６に対する回転軸心Ｃ１は、回転板９９の支持枠体５６に対する回転軸心Ｃ２に対して偏心しているために、操作アーム９２の所定の回転角内における回転及び逆回転を交互に繰り返すことで照明装置１のＲ４方向の大きな傾動操作を簡単に行い得る。
【００５５】
照明装置１によれば、操作アーム９２をＲ１方向に回転させる方向に付勢する付勢部材としての付勢ばね８７を具備しているために、操作アーム９２の回転板９９に対する係合を付勢ばね８７の付勢力に基づいて自動的に解除することができ、而して、照明装置１の傾動操作をより簡単に行い得る。
【００５６】
照明装置１によれば、操作アーム９２は、Ｘ方向に伸びていると共に一端で支持枠体５６に回転自在に連結されたアーム本体３７と、アーム本体３７の他端に上に向かって凹状に形成された引っ掛け部３８とを具備しているために、例えば照明装置１がテレビスタジオ等の天井等に吊り下げ支持されている場合においても、先端にフックが形成された長尺の操作棒７６の当該フックを操作アーム９２の引っ掛け部３８に引っ掛けて操作アーム９２を引き下げることにより当該操作アーム９２をＲ２方向に逆回転させることができ、而して、照明装置１の傾動操作を簡単に行い得る。
【００５７】
照明装置１によれば、操作アーム９１の支持枠体５６に対する回転軸心Ｃ１と操作アーム９２の支持枠体５６に対する回転軸心Ｃ１とは、互いに同心であり、回転板９６の支持枠体５６に対する回転軸心Ｃ２と回転板９９の支持枠体５６に対する回転軸心Ｃ２とは、互いに同心であるために、傾動機構９０の部品数を減少させ得ると共に照明装置１の更なるコンパクト化をも図り得る。
【００５８】
照明装置１によれば、中部筐体９に回転操作自在に設けられたフォーカスハンドル１２と、フォーカスハンドル１２のｒ１方向の回転力を前部筐体４に対して後方移動力として伝達すると共に後部筐体８に対して前方移動力として伝達する一方、フォーカスハンドル１２のｒ２方向の回転力を前部筐体４に対して前方移動力として伝達すると共に後部筐体８に対して後方移動力として伝達する伝達手段１３とを具備しているために、フォーカスハンドル１２の操作による前部筐体４及び後部筐体８の移動を連動させることができ、而して、光源７とフォーカスレンズ３との離間距離を簡単に調整し得る。
【００５９】
照明装置１によれば、支持枠体５６が中部筐体９に設けられているために、前部筐体４及び後部筐体８が中部筐体９に対して相対的にＸ方向に移動されても、照明装置１全体の重心位置が変動する虞を減少させ得、而して、所望の投光を行い得、例えば、照明装置１が前記伝達手段１３を具備し、斯かる伝達手段１３がフォーカスハンドル１２の回転を前部筐体４及び後部筐体８に同期的に伝達するようになっている場合には、更に照明装置１全体の重心位置が変動する虞を著しく減少させ得て、より所望の投光を行い得る。
【００６０】
照明装置１によれば、光源７は、複数個の発光ダイオード４１が配置された平面状の発光面４２を有しているために、照明装置１の発熱量、消費電力を大幅に減少させ得る。
【符号の説明】
【００６１】
１  照明装置
３  フォーカスレンズ
４  前部筐体
７  光源
８  後部筐体
９  中部筐体
１０  前部連結機構
１１  後部連結機構
１２  フォーカスハンドル
１３  伝達手段
５６  支持枠体
９０  傾動機構
９１、９２  操作アーム
９３  伝達機構
【図１】
2011086561.tif 000003
【図２】
2011086561.tif 000004
【図３】
2011086561.tif 000005
【図４】
2011086561.tif 000006
【図５】
2011086561.tif 000007
【図６】
2011086561.tif 000008
【図７】
2011086561.tif 000009
【図８】
2011086561.tif 000010
【図９】
2011086561.tif 000011
【図１０】
2011086561.tif 000012
【図１１】
2011086561.tif 000013
【図１２】
2011086561.tif 000014
【図１３】
2011086561.tif 000015
【図１４】
2011086561.tif 000016
【図１５】
2011086561.tif 000017